(57)【要約】【課題】表示体を前方に突出させて表示する突出位置から嵩張らないように変位調整することが可能な表示体支持構造を提供することを課題とする。【解決手段】第１ＰＯＰ板２０側より突出して表示される第２ＰＯＰ板３０を支持するＰＯＰ板装置１０であって、前記第１ＰＯＰ板２０の前方に前記第２ＰＯＰ板３０が突出した突出位置Ｔ１と、前記第１ＰＯＰ板２０に前記第２ＰＯＰ板３０の裏面側が近接された重畳位置Ｔ２との間で該第２ＰＯＰ板３０を移動可能にシート折曲体４０で接続し、前記第２ＰＯＰ板３０を前記重畳位置Ｔ２から突出位置Ｔ１へと突出させたとき、その第２ＰＯＰ板３０の突出姿勢を維持する折返しシート４２を備えて構成することができる。【選択図】図３
2011180320.tif 000002
【特許請求の範囲】
【請求項１】
取付面側より突出して表示される表示体を支持する表示体支持構造であって、
前記取付面の前方に前記表示体が突出した突出位置と、前記取付面に前記表示体の裏面側が近接された重畳位置との間で該表示体を移動可能に接続部材で接続し、
前記表示体を前記重畳位置から突出位置へと突出させたとき、その表示体の突出姿勢を維持する突出姿勢維持手段を備えた
表示体支持構造。
【請求項２】
前記接続部材は、上接続部材と下接続部材とを備えて構成し、
前記突出姿勢維持手段は、前記上接続部材と前記表示体との連結位置と、前記下接続部材と前記取付面との連結位置とを結ぶ距離が所定距離よりも小さくならないように規制する規制手段で構成し、
前記規制手段が前記突出位置にある前記表示体をその表示体の自重に抗して受け止める
請求項１に記載の表示体支持構造。
【請求項３】
前記接続部材を、１枚のシートを折り曲げて作った矩形のシート折曲体で構成し、
前記規制手段は、前記シート折曲体が突出位置のとき、該シート折曲体の矩形内空間に折り返した折返しシートによって矩形内の対角線距離を規制する
請求項２に記載の表示体支持構造。
【請求項４】
前記接続部材は、上接続部材と下接続部材とで構成し、
前記突出姿勢維持手段は、前記上接続部材と前記取付体との連結位置と、前記下接続部材と前記表示体との連結位置とを結ぶ距離が所定距離よりも大きくならないように規制する規制手段で構成し、
前記規制手段が前記突出位置にある前記表示体をその表示体の自重に抗して受け止める
請求項１に記載の表示体支持構造。
【請求項５】
前記表示体の突出量を可変または調整可能に構成した
請求項１〜４の何れか１項に記載の表示体支持構造。
【請求項６】
前記上接続部材と下接続部材とを異なる長さに構成した
請求項２〜５の何れか１項に記載の表示体支持構造。
【請求項７】
単一の取付面に複数の表示体を備えた
請求項１〜６の何れか１項に記載の表示体支持構造。
【請求項８】
前記表示体を前記取付面として別の表示体を複数段に構成した
請求項１〜７の何れか１項に記載の表示体支持構造。
【発明の詳細な説明】
【技術分野】
【０００１】
この発明は、各種の広告や案内を突出させて表示する表示体の支持構造に関し、さらに詳しくは取扱性に富む表示体支持構造に関する。
【背景技術】
【０００２】
近年、表示手段の一例として写真シール作成機のような施設では、注目度やリピータ率を上げる目的でユーザの目をひく位置に広告が記載されたデザイン性のあるＰＯＰ板が設置されている。
【０００３】
この種のＰＯＰ板は、前方の空間に突出して注目度を高めるように構成されている。例えば、図９に示すように、筐体９１に取り付けられた筐体設置板９２と、その前方に突出して表示されるＰＯＰ板９３との間を発泡スチロールのような支持体９４で連結することにより、ＰＯＰ板９３を前方に所定量突出させて支持している。
【０００４】
このＰＯＰ板の利用に際しては、直ぐに設置できるように予めＰＯＰ板を組み込んで一体化した製品として用いられていた。これにより、ＰＯＰ板は組立て済みであるため現場等において取扱性に優れ、特に簡易構成で広告効果が大きい製品として用いられている。
【０００５】
また、ＰＯＰ板を写真シール作成機のような施設に利用する場合、ＰＯＰ板を突出させて目立たせる以外にも全体的に大きく製作して、ＰＯＰ板自体が大きな構造物になっていた。このため、ＰＯＰ板の軽量化や支持構造の強化が重要になっていた（例えば特許文献１及び特許文献２参照）。
【０００６】
しかし、この種のＰＯＰ板を突出させて製品化した場合、その製品自体が突出空間を要して嵩張るため、設置利用する現場まで運搬する際に運搬コストが高く、運搬効率が低い問題を有していた。
【先行技術文献】
【特許文献】
【０００７】
【特許文献１】特開２００６−１０６５２３号
【特許文献２】特開２００４−１４５１４２号
【発明の概要】
【発明が解決しようとする課題】
【０００８】
そこでこの発明は、上述の問題に鑑み、表示体を前方に突出させた突出位置から嵩張らない平面形状にすることが可能な表示体支持構造を提供することを課題とする。
【課題を解決するための手段】
【０００９】
この発明は、取付面側より突出して表示される表示体を支持する表示体支持構造であって、前記取付面の前方に前記表示体が突出した突出位置と、前記取付面に前記表示体の裏面側が近接された重畳位置との間で該表示体を移動可能に接続部材で接続し、前記表示体を前記重畳位置から突出位置へと突出させたとき、その表示体の突出姿勢を維持する突出姿勢維持手段を備えたことを特徴とする。
【００１０】
この発明によると、表示体を突出位置と重畳位置とに移動可能な支持構造に構成しているため、運搬時には重畳位置にして平面的で嵩張らずに運搬できる。また、設置時には突出位置にして直ちに設置することが可能であり、取付性及び取扱性のよい製品として利用できる。さらに、表示体を突出させた位置では突出姿勢維持手段によって表示体を適正な突出姿勢に安定して支持することができる。
【００１１】
この発明の別の態様として、前記接続部材は、上接続部材と下接続部材とを備えて構成し、前記突出姿勢維持手段は、前記上接続部材と前記表示体との連結位置と、前記下接続部材と前記取付面との連結位置とを結ぶ距離が所定距離よりも小さくならないように規制する規制手段で構成し、前記規制手段が前記突出位置にある前記表示体をその表示体の自重に抗して受け止めるように構成することができる。
【００１２】
これにより、突出位置にある表示体にかかる自重を規制手段が受け止めることができる。この規制手段を備えることによって常に表示体を突出位置から下がらないように維持することができる。
【００１３】
この発明の別の態様として、前記接続部材を、１枚のシートを折り曲げて作った矩形のシート折曲体で構成し、前記規制手段は、前記シート折曲体が突出位置のとき、該シート折曲体の矩形内空間に折り返した折返しシートによって矩形内の対角線距離を規制することができる。
【００１４】
これにより、１枚のシートから表示体支持構造としてのシート折曲体を構成することができる。例えば、１枚のシートから断面四角形状の筒状体を作り、端部のシート面を折返しシートとして四角形内の対角線上に延出させれば、その折返しシートの端部が対角線上の隅部に当接し、該折返しシートがシート折曲体の対角線距離を保つシートとなり、シート折曲体に表示体の重みによる下向きの力が加わっても、四角形状を保って表示体の突出姿勢を維持することができる。
【００１５】
この発明の別の態様として、前記接続部材は、上接続部材と下接続部材とで構成し、前記突出姿勢維持手段は、前記上接続部材と前記取付体との連結位置と、前記下接続部材と前記表示体との連結位置とを結ぶ距離が所定距離よりも大きくならないように規制する規制手段で構成し、前記規制手段が前記突出位置にある前記表示体をその表示体の自重に抗して受け止めることができる。
【００１６】
これにより、表示体にかかる自重を規制手段が引き上げるようにして規制することができる。この規制手段を備えることによって常に表示体を突出位置から下がらないように維持することができる。表示体を引き上げる部材としては、例えば紐や針金などの線状体、フィルムなどの帯状体を用いるとよい。
【００１７】
この発明の別の態様として、前記表示体の突出量を可変または調整可能に構成することができる。
【００１８】
例えば、長さを調整することができる折返しシートを使用して取付面側の下方から表示体の上部を支えるようにすれば、表示体の突出量を定められた突出寸法に調整できる。具体的には、シート折曲体の矩形内空間に折り返した折返しシートのシート端部が矩形内の対角線上で対向する表示体上部の折り目側で安定して受け止められる。したがって、受け止められる距離を調整することにより、表示体の突出量を調整することができる。
【００１９】
また、紐を使用して表示体の下部を上方へ引き上げるようにすれば、該表示体の自重に抗して支えるだけでなく、一旦設置した後であっても、紐の長さを調整することにより、表示体の突出量を変更することが可能になる。
【００２０】
さらに、表示体突出量の他の調整手段として、シート折曲体の内部空間で対角線方向の上下より対向させた対向端部を重合させ、その重合対向部位に形成されている互いの櫛歯を噛合させる。そして、噛合位置をずらせば対角線方向の連結距離が変わって表示体の突出量を調整することが可能になる。
【００２１】
また、表示体突出量の他の調整手段として、折返しシートの一部を切除可能に構成して該一部を切除することにより、折返しシートの長さを調整可能に設けて表示体の突出量を調整することもできる。
【００２２】
この発明の別の態様として、前記上接続部材と下接続部材とを異なる長さにして構成することができる。
【００２３】
この場合は、取付面側を基準位置として表示体を支持している上下の接続部材の短い方が取付面側に引っ張られる形で傾き、この結果、表示体の角度を任意の表示角度に変えることができる。
【００２４】
この発明の別の態様として、単一の取付面に複数の表示体を備えて構成することができる。
【００２５】
この構成によると、各表示体を集合配置することが可能になり、複合的な組み合わせの表示ができる。
【００２６】
この発明の別の態様として、前記表示体を前記取付面として、別の表示体を複数段に構成することができる。
【００２７】
これにより、表示体上に別の表示体を積層することができ、取付面の前方に、より一層、立体的な表示構成物を構築することが可能となる。
【発明の効果】
【００２８】
この発明によれば、表示体を前方に突出させた突出位置から平面的に縮小した重畳位置に変位させることができる表示体支持構造を提供できる。この結果、輸送時は表示体を重畳状態にしてコンパクトに輸送することが可能になる。よって、輸送時は無駄な空間がなくなり輸送効率が確実に向上する。
【図面の簡単な説明】
【００２９】
【図１】写真シール作成機を示す外観斜視図。
【図２】ＰＯＰ板装置の使用状態を示す斜視図。
【図３】ＰＯＰ板装置の突出位置と重畳位置の切り替わり状態を示す説明図。
【図４】（Ａ）はＰＯＰ板装置の複合構成例を示す側面図、（Ｂ）は（Ａ）の複合構成例を示した正面図。
【図５】（Ａ）はＰＯＰ板装置の高さ調整原理を表わした説明図、（Ｂ）はＰＯＰ板装置の角度調整原理を表わした説明図。
【図６】（Ａ）はＰＯＰ板装置の櫛歯による噛合前の対応状態を示す説明図、（Ｂ）はＰＯＰ板装置の櫛歯による噛合領域が長い状態を示す説明図、（Ｃ）はＰＯＰ板装置の櫛歯による噛合領域が短い状態を示す説明図。
【図７】（Ａ）はＰＯＰ板装置の他の折返しシートを示す平面図、（Ｂ）は（Ａ）の折返しシートを用いた使用状態を示す説明図。
【図８】（Ａ）は紐でＰＯＰ板を支持するＰＯＰ板装置を示す概略側面図、（Ｂ）は紐の吊支長さを縮めてＰＯＰ板高さを調整する概略側面図。
【図９】従来のＰＯＰ板支持構造を示す側面図。
【発明を実施するための形態】
【００３０】
この発明の一実施例を図面に基づいて説明する。
【実施例】
【００３１】
図１は写真シール作成機１に設置されたＰＯＰ板装置１０を示す。写真シール作成機１は、撮影空間を囲った撮影筐体２と、該撮影筐体２の背面側に連設された編集筐体３とで構成されている。なお、図１では、撮影空間の周囲及び撮影空間の出入り口４を図示しないカーテンで覆っている。そして、写真シール作成機１の注目を引きやすい部分、例えば出入り口上方の撮影筐体２にＰＯＰ板装置１０が設置される。
【００３２】
図２はＰＯＰ板装置１０の使用状態を拡大して示している。このＰＯＰ板装置１０は、ベースＰＯＰ板（以下第１ＰＯＰ板と称す）２０と、飛び出しＰＯＰ板（以下第２ＰＯＰ板と称す）３０との間を接続するシート折曲体４０とから構成される。
【００３３】
前記第１ＰＯＰ板２０は、例えば表面にベース用広告を印刷した厚紙で構成することができる。また、１枚で十分な強度を持つ厚紙、重ね折りして強度を持たせた厚紙、あるいは発泡スチロール板、樹脂シートなどを用いて構成することができる。そして、この第１ＰＯＰ板２０が取付壁５０にビス止め、あるいはテープ止め等によって平面対接させた状態で取り付けられる。
【００３４】
この第１ＰＯＰ板２０の大きさや形状は、表示用途や表示内容によって異なり、様々な形な大きさに用いられる。図２では小さく表示した例を示している。
【００３５】
第２ＰＯＰ板３０は、表面に関心を持たせる内容の広告を印刷した厚紙で構成することができる。この第２ＰＯＰ板３０も前記した第１ＰＯＰ板２０と同様に、１枚で十分な強度を持つ厚紙、重ね折りして強度を持たせた厚紙、あるいは発泡スチロール板、樹脂シートなどを用いて構成することができる。そして、この第２ＰＯＰ板３０が後述するシート折曲体４０により、第１ＰＯＰ板２０の前方に突出して略垂直な姿勢で支持される。
【００３６】
この第２ＰＯＰ板３０の大きさや形状は、最も注目を浴びる広告として形作られ、該第２ＰＯＰ板３０の表示用途や表示内容に応じた様々な形や大きさに形作られる。図２では第２ＰＯＰ板３０を第１ＰＯＰ板２０より大きく表示した例を示している。
【００３７】
上述のシート折曲体４０は１枚の厚紙を折曲げて立体的に形作った支持枠体であり、例えば断面正方形の筒状体を形作る。そのときの１枚の厚紙による筒状体の始端と終端が開かないように、始端部を一部折曲して、対向側の端部を抱え込むようにした折曲片４０ａを設けている。そして、この断面正方形の筒状体を形作るとき、左下隅を始点４１に垂直に立ち上げた左側面、上面、右側面、下面の順に周回し、最後に始点４１位置と重なる部分から対角線上に延出させた対角辺としての折返しシート４２を形成している。
【００３８】
この折返しシート４２は、シート折曲体４０の正方形内の空間に折り返した折返しシート４２の先端部が終点４３として、その四角形内の対角線上の隅部に当接して該対角線距離が縮まろうとするのを規制する役目を持たせている。これにより、正方形のシート折曲体４０が変形せず、正方形の立体的な姿勢を維持するように構成している。
【００３９】
この折返しシート４２を作る際は、一側に対角線距離に相当するシート長さをとり、残りを均等長さに区分するように１枚の紙に４つの平行する折り目を入れて区切った５つのシート面を形成した後、これらの折り目を順に折ることによって断面正方形の筒状体を作り、最後のシート面を折返しシート４２として正方形内の対角線上に延出させ、その対角線上で対向する隅部に当接させている。これにより、折返しシート４２が第２ＰＯＰ板３０の自重に抗して支える上下方向の支持部材となる。したがって、仮にシート折曲体４０に第２ＰＯＰ板３０の重みによる下向きの力が加わっても、正方形を保って表示体の下降を規制することができる。
【００４０】
さらに、折返しシート４２は上述の実施例とは逆に折返しシート４２の折返し支点を第２ＰＯＰ板３０の上部に設定してもよい。このようにしても、第２ＰＯＰ板３０の重みを支える対角線方向が同じであるため上述の実施例と同様に安定した支持作用が得られる。
【００４１】
また、折返しシート４２の折返し支点を対角線上の角部以外の、例えば辺の途中に設定してもよい。この場合は、折返しシート４２の先端を安定して受け止めれるように、また支持位置を容易に選択できるように、対向するシート面を平面ではなく鋸刃状に形成するのが適している。
【００４２】
また、シート折曲体４０と、第１ＰＯＰ板２０との間、また第２ＰＯＰ板３０との間の接続に際しては、ビス止め、テープ止め、接着剤等の接続手段で取り付けるとよい。
【００４３】
さらに、このシート折曲体４０は、図３（Ａ）に示すように、正方形の枠体を構成しているときは、その一辺の長さ分だけ第２ＰＯＰ板３０を第１ＰＯＰ板２０より前方に一定量突出させた突出位置Ｔ１に支持している。
【００４４】
このとき、シート折曲体４０が自重で下降しようとする方向に掛かる力に対し、その力を対角線方向で折返しシート４２が支える。さらに、この折返しシート４２はシート折曲体４０の対角線長さが所定長さよりも小さくならないように突っ張って傾斜姿勢で受け止めるため第２ＰＯＰ板３０の垂直な表示姿勢を安定して維持している。
【００４５】
ところで、図３（Ｂ）に示すように、第２ＰＯＰ板３０を自重に抗して持ち上げれば、折返しシート４２の終点４３がそれまで当接していた対角線上の角部と離れ、第１ＰＯＰ板２０に固定されているシート折曲体４０の左側面を回動基準にして、図３（Ｃ）に示すように、第２ＰＯＰ板３０が次第に第１ＰＯＰ板２０側に近付くように回動して上動変位させることができる。そして、最後は図３（Ｄ）に示すように、第２ＰＯＰ板３０が第１ＰＯＰ板２０に平面対向した重畳位置Ｔ２に移動させることが可能な可変支持構造を有している。このため、ＰＯＰ板装置１０の運搬時には重畳位置Ｔ２にして平面的で嵩張らない状態で運搬することが可能となる。
【００４６】
さらに、第２ＰＯＰ板３０を重畳位置Ｔ２から適宜突出位置Ｔ１に引き出して突出させることができるので、ＰＯＰ板装置１０の設置時には、第２ＰＯＰ板３０を突出位置Ｔ１に突出させて直ちに設置することができる。このため、ＰＯＰ板装置１０は運搬性の向上に限らず、組立性や取扱性も向上する。
【００４７】
図４はＰＯＰ板装置１０の複合構成例を示している。例えば、図４（Ａ）に示すように、共通する１枚の大きな第１ＰＯＰ板２０に、３個の第２ＰＯＰ板３０を上下方向に搭載して複合ＰＯＰ板装置１００として構成することができる。
【００４８】
図４（Ａ）では複合ＰＯＰ板装置１００の上下方向に並ぶ３個のＰＯＰ板のうち、上部と下部に、１段構成のＰＯＰ板装置を設置し、さらにその上面に一回り小さいＰＯＰ板装置１０を搭載した２段階突出構成のＰＯＰ板装置１０ａを配置している。さらに、その中間位置には横長の第２ＰＯＰ板３０を有する１段階構成のＰＯＰ板装置１０を配設している。
【００４９】
このような複合ＰＯＰ板装置１００を用いれば、図４（Ｂ）に示すように楕円形の大きな第１ＰＯＰ板２０上に小さな第２ＰＯＰ板３０が積層されて取付面の前方に、より一層、立体的な複合ＰＯＰ板装置１００を構成することができる。
【００５０】
図５（Ａ）は前方に突出した第２ＰＯＰ板３０の高さ調整の原理を表わしている。この第２ＰＯＰ板３０は、折返しシート４２の長さを変えることによって任意の四角形を形作ることができる。
【００５１】
このことは折返しシート４２の長さを選択することによって第２ＰＯＰ板３０の突出量Ｔと同時に、第２ＰＯＰ板３０の高さ位置を変えることができることを表わしている。これにより、折返しシート４２の長さを調整すれば、第２ＰＯＰ板３０の高さを調整することが可能になる。このため、ＰＯＰ板装置１０を設置する際は、高さ調整機能付きの個性的なＰＯＰ板装置１０として広く有効利用できる。
【００５２】
上述のように１枚ごとに長さの違うシートを用意しておいて、所望長さの折返しシート４２が適宜得られるようにしてもよいし、１枚のシートに折込線を複数入れておいて、組立時に複数の折込線から所望長さの折返しシート４２が得られる折込線を選択する構成としてもよい。
【００５３】
図５（Ｂ）は前方に突出した第２ＰＯＰ板３０の傾斜角度を変更可能にしながら突出位置Ｔ１と重畳位置Ｔ２とに移動可能にした構成であることの原理を表わしている。この第２ＰＯＰ板３０の傾斜角度はシート折曲体４０が四角形で構成されているとき、上辺長さと下辺長さを変えることによって第２ＰＯＰ板３０の傾きが変わる。
【００５４】
すなわち、上辺と左辺の合計長さと、下辺と右辺の合計長さとが同じであれば、第２ＰＯＰ板３０が突出位置Ｔ１と重畳位置Ｔ２に移動可能であることを確保しながら該第２ＰＯＰ板３０を任意の傾斜角度に設定することができる。
【００５５】
また、上辺と左辺の合計長さと、下辺と右辺の合計長さとが同じであれば、上辺・左辺・下辺・右辺の長さがそれぞれ異なる長さであっても、同様に第２ＰＯＰ板３０が突出位置Ｔ１と重畳位置Ｔ２に移動可能であることを確保しながら該第２ＰＯＰ板３０を任意の傾斜角度に設定することができる。
【００５６】
図５（Ｂ）では第２ＰＯＰ板３０が下向きに傾斜しているため、この第２ＰＯＰ板３０を筐体の上部に設置してユーザが下方から見やすいように角度調整した例を表わしている。
【００５７】
図６はシート折曲体の対角線上で作用する折返しシート４２の長さを調整可能にした一例を表わしている。
【００５８】
シート折曲体の内部空間において、前記折返しシート４２が配設される方向と同方向の対角線上の角度からそれぞれ内部空間に向けて対角方向連結片４４を突出させている。
【００５９】
そして、シート折曲体の内部空間で対角線上の上下より、図６（Ａ）に示すように下向きと上向きとの別々に対向させた対角方向連結片４４の対向端部が、シート折曲体の突出位置と重畳位置との位置変化に伴い形状が変わる該シート折曲体の形状変化に応じて遠近対応する位置関係にある。そして、その重合対向部位の互いに対向する部分に形成された櫛歯４５を噛合させて連結可能に構成するものである。
【００６０】
そして、図６（Ｂ）に示すように、噛合位置をずらして噛合領域を増やせば対角線方向の重なり度合いが増して折返しシート４２の全長を短くできる。逆に、図６（Ｃ）に示すように、噛合領域を少なくすれば対角線方向の重なり度合いが少なくなり、折返しシート４２の全長を長くとれる。これにより、折返しシート４２の全体の距離が変わって第２ＰＯＰ板３０の突出量を調整することが可能になる。
【００６１】
なお、図６（Ｂ）及び図６（Ｃ）は対角方向連結片４４同士が対向した際に、櫛歯４５部分が水平に噛合するに留まらず、櫛歯４５がシート面上に乗り上げて交差対向し、互いの櫛歯４５が重なった噛合状態になるまで深く噛合した状態を示している。これにより、十分な連結強度が得られるようにしている。
【００６２】
図７は折返しシート４２の他の長さ調整例を示している。この折返しシート４２は該折返しシート４２の支え方向の長さを、図７（Ａ）に示すように段差形成して設けるものである。
【００６３】
この折返しシート４２は、横長の長方形シートの上辺中央部を凹状に切り欠いて、その上辺両側が高部位となるように段差形成している。これにより、折返しシート４２は両側に長尺の折返しシート部Ｌ１が得られ、中央部に短尺の折返しシート部Ｌ２が得られる。さらに、この長尺の折返しシート部Ｌ１と短尺の折返しシート部Ｌ２との境界となる仕切り位置にミシン目４６を入れて切り離し自在に作成している。
【００６４】
したがって、ＰＯＰ板装置１０を設置する場合、図７（Ｂ）に想像線で示すように、第２ＰＯＰ板３０を高い位置で表示するように選択する場合は、凹形状の折返しシート４２をそのまま使用するとよい。これにより、第２ＰＯＰ板３０を高い位置で、かつ突出量の少ない位置で維持させることができる対角線距離をとることができる。
【００６５】
一方、図７（Ｂ）に実線で示すように、第２ＰＯＰ板３０を高くしない場合は、両側の長尺の折返しシート部Ｌ１をミシン目４６より切り離して切除して使用するとよい。これにより、シート折曲体４０を短尺の折返しシート部Ｌ２のみで作成されて第２ＰＯＰ板３０を所望の高さに設定できる。このように、折返しシート４２の長さを変更して長さ調整できるように構成することもできる。なお、折返しシート４２の切り離し可能な形状は安定した支持ができるようにシート折曲体４０内で左右対称の均等な形状となるように形成するのが好ましい。
【００６６】
図８は紐を用いたＰＯＰ板装置１０を示す。ここでは、上述した折返しシート４２が、第２ＰＯＰ板３０を下方から支えることによって該第２ＰＯＰ板３０が下がらないようにするのではなく、上方から紐４７で第２ＰＯＰ板３０を吊支して第２ＰＯＰ板３０を支持するという支持構造である。
【００６７】
紐４７の取付位置は、シート折曲体４０の下辺と第２ＰＯＰ板３０の下部とが対向するシート折曲体４０の右下隅部４０ａに紐４７の下端を連結する。さらに、シート折曲体４０の上辺と第１ＰＯＰ板２０とが対向するシート折曲体４０の左上隅部４０ｂに紐４７の上端を通して止め具４８により所定長さの位置に調整して止めている。この場合は、止め具４８を緩めて紐４７を引っ張り上げるだけで第２ＰＯＰ板３０が上動するため容易に第２ＰＯＰ板３０の突出量を調整することができる。その結果、第２ＰＯＰ板３０の高さ調整もできる。
【００６８】
上述の実施例においては、ＰＯＰ板装置１０の取り付けに際して、シート折曲体４０を一旦、第１ＰＯＰ板２０に取り付け、この第１ＰＯＰ板２０を取付壁５０に取り付けて設置する例を示したが、シート折曲体４０を取付壁５０に直付けして設置するようにしてもよい。
【００６９】
さらに、第１ＰＯＰ板２０や第２ＰＯＰ板３０の表面にＬＥＤや装飾部品等を付設して、より一層、注目度を高めるようにしてもよい。
【００７０】
この発明の構成と、上述の実施例の構成との対応において、
この発明の表示体は、実施例の第２ＰＯＰ板３０に対応し、
以下同様に、
接続部材は、シート折曲体４０に対応し、
突出姿勢維持手段は、折返しシート４２と紐４７に対応し、
表示体支持構造は、ＰＯＰ板装置１０と複合ＰＯＰ板装置１００に対応するも、この発明は上述の実施例の構成に限定されるものではなく、請求項に記載される技術思想に基づいて応用することができる。
【００７１】
例えば、上述の実施例ではシート折曲体４０を正方形で構成した例を示したが、これに限らず、その他の矩形であっても適用することができる。また、１枚の厚紙で効率よくシート折曲体４０を構成した例を示したが、上辺と下辺の２つの接続部材があれば、上述のシート折曲体４０と同様な接続機能を果たすことができ、左辺と右辺のシート部分を省略することが可能となる。
【産業上の利用可能性】
【００７２】
写真シール作成機等の注目を集めることが要求される施設や店舗などに広く利用することができる。
【符号の説明】
【００７３】
１０…ＰＯＰ板装置
２０…第１ＰＯＰ板
３０…第２ＰＯＰ板
４０…シート折曲体
４２…折返しシート
４４…対角方向連結片
４７…紐
５０…取付壁
１００…複合ＰＯＰ板装置
Ｔ１…突出位置
Ｔ２…重畳位置
【図１】
2011180320.tif 000003
【図２】
2011180320.tif 000004
【図３】
2011180320.tif 000005
【図４】
2011180320.tif 000006
【図５】
2011180320.tif 000007
【図６】
2011180320.tif 000008
【図７】
2011180320.tif 000009
【図８】
2011180320.tif 000010
【図９】
2011180320.tif 000011